【事件の表示】
　特許第２８２４０９２号「弾球遊技機」の特許に対する特許異議の申立てについて、次のとおり決定する。
【結　論】
　訂正を認める。
　特許第２８２４０９２号の特許を維持する。
【理　由】
１．手続の経緯
  本件特許第２８２４０９２号は、平成１年10月16日に特許出願され、平成10年９月４日に設定登録された。その後、平成11年５月11日に弓桁忠より特許異議の申立てがあり、これを受けて平成11年10月13日付け取消理由通知がなされ、その指定期間内である平成11年12月22日に訂正請求がなされた。
２．訂正の適否についての判断
1)訂正明細書の特許請求の範囲に係る発明
　訂正明細書の請求項１に係る発明は、その特許請求の範囲請求項１に記載された次の事項により特定されるとおりのものである。
「弾球技機の裏面に配置され、且つ所定の景品玉を払出す機構板と、該弾球遊技機の前面に設けられ、且つ払出された景品玉を貯留する打球供給皿と、を備えた弾球遊技機において、前記機構板の筒状の景品玉払出径路の終端部、又は該景品玉払出径路と連通して前記打球供給皿に景品玉を誘導する筒状の連通部の始端部の少なくともいずれか一方の上部に延設部を形成し、該延設部が前記景品玉払出径路内、又は前記連通部内に挿入されて重合されることにより、前記景品玉払出径路の終端部と前記連通部の始端部との間を前記延設部で隠したことを特徴とする弾球遊技機。」
2)訂正の目的の適否及び拡張・変更の存否
　上記訂正は、特許請求の範囲の減縮に該当し、実質的に特許請求の範囲を拡張・変更するものではない。
　また、同時に訂正された上記請求項１に係る発明を説明する【発明の詳細な説明】の欄の訂正は、当初明細書の記載の範囲内であり、かつ、実質上特許請求の範囲を拡張・変更するものではないことから、明瞭でない記載の釈明に該当する。
3)独立特許要件の判断
（引用刊行物）
　実願昭５９−６４７６７号（実開昭６０−１７７８７８号公報）の全文マイクロフィルム
　請求項１に係る発明（以下、「本件発明」という。）に対し、当審が先に通知した取消理由の証拠として示した上記引用刊行物には、以下の発明が記載されている。
「パチンコ機の賞球排出装置」（実用新案登録請求の範囲）において、「第１０図は賞球排出樋２７の・・・・、上部受皿２５に連通する上面開放の受枠５７の一部を賞球排出樋２７の内側に向って突出させ、・・・・蛇行状の誘導通路５８を形成する。」（明細書第１２頁第２行〜８行。第１０図）
（対比・判断）
  訂正明細書の請求項１に係る発明と上記引用刊行物記載の発明とを対比すると、本件発明が「筒状の景品玉払出径路の終端部、又は該景品玉払出径路と連通して前記打球供給皿に景品玉を誘導する筒状の連通部の始端部の少なくともいずれか一方の上部に延設部を形成し、該延設部が前記景品玉払出径路内、又は前記連通部内に挿入されて重合されることにより、前記景品玉払出径路の終端部と前記連通部の始端部との間を前記延設部で隠した」ことを構成要件としているのに対し、上記引用刊行物記載の発明にはこの構成が記載されていない。
　そして、本件発明はこの構成によって、「機構板が連通部から挿入された部材によって押圧されて移動しても、機構板と連通部との間の隙間が延設部によって隠されるので、ピアノ線等の不正部材を挿入することができない。このため、不正部材による遊技機裏面からの不正行為を確実に防止することができる。」とする効果を奏するものである。
　本件発明の構成とこうした効果については、上記引用刊行物に一切の記載も、またそれを示唆する記載もない。
　したがって、本件発明は、上記引用刊行物記載の発明と同一であるとも、またこの引用刊行物記載の発明から容易に発明できたものであるとも言えない。
4)むすび
　以上のとおり、上記訂正請求は、特許法第１２０条の４第２項及び同条第３項で準用する第１２６条第２乃至４項の規定に適合するものであり、当該訂正を認める。
３．特許異議の申立てについての判断
1)申立て理由の概要
  申立人弓桁忠は、平成11年５月11日付けの特許異議申立書に記載した理由により、「本件発明は甲第１号証（実願昭５９−６４７６７号（実開昭60−177878号公報の全文マイクロフィルム））に記載された発明と同一、又は甲第１号証に記載された発明に基づいて容易に発明することができたものであり、特許法第２９条第１項第３号の規定、又は同法第２９条第２項の規定により、特許を受けることができない。したがって、本件特許は特許法第１１３条第２号の規定により取り消すべきである。」旨主張している
2)判断
　しかしながら上記２．3)で示したように、本件発明は、甲第１号証に記載された発明であるとも、またこれに記載された発明をもとに容易に発明することができたものとすることもできない。
3)むすび
　以上のとおりであるから、特許異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年２月２日（２０００．２．２）
【訂正の要旨】
訂正の要旨
１．特許請求の範囲
　特許請求の範囲に係る記載
「弾球遊技機の裏面に配置され、且つ所定の景品玉を払出す機構板と．該弾球遊技機の前面に設けられ、且つ払出された景品玉を貯留する打球供給皿と、を備えた弾球遊技機において、前記機構板の景品玉払出径路の終端部、又は該景品玉払出径路と連通して前記打球供給皿に景品玉を誘導する連通部の始端部の少なくともいずれか一方に延設部を形成し、該延設部が前記景品玉払出径路内、又は前記連通部内に挿入されて重合されることにより，前記景品玉払出径路の終端部と前記運通部の始端部との間を前記延設部で隠したことを特徴とする弾球遊技機。」を、
「弾球遊技機の裏面に配置され、且つ所定の景品玉を払出す機構板と、該弾球遊技機の前面に設けられ、且つ払出された景品玉を貯留する打球供給皿と、を備えた弾球遊技機において、前記機構板の筒状の景品玉払出径路の終端部、又は該景品玉払出径路と連通して前記打球供給皿に景品玉を誘導する筒状の連通部の始端部の少なくともいずれか一方の上部に延設部を形成し、該延設部が前記景品玉払出径路内、又は前記連通部内に挿入されて重合されることにより、前記景品玉払出径路の終端部と前記連通部の始端部との間を前記延設部で隠したことを特徴とする弾球遊技機。」と訂正する。
２．発明の詳細な説明
訂正事項１
　平成１０年５月２５日の本件請求人提出に係る手続補正書に添付の明細書第３頁第９行〜第４頁第２行に係る記載
「［課題を解決するための手段］
　上記した目的を達成するために、この発明に係る弾球遊技機は、弾球遊技機の裏面に配置され、且つ所定の景品玉を払出す機構板と、該弾球遊技機の前面に設けられ、且つ払出された景品玉を貯留する打球供給皿と、を備えたものにおいて、前記機構板の景品玉払出径路の終端部、又は該景品玉払出径路と連通して前記打球供給皿に景品玉を誘導する連通部の始端部の少なくともいずれか一方に延設部を形成し、該延設部が前記景品玉払出径路内、又は前記連通部内に挿入されて重合されることにより、前記景品玉払出径路の終端部と前記連通部の始端部との間を前記延設部で隠したことを特徴とするものである。」を、
「［課題を解決するための手段］
　上記した目的を達成するために、この発明に係る弾球遊技機は、弾球遊技機の裏面に配置され、且つ所定の景品玉を払出す機構板と、該弾球遊技機の前面に設けられ、且つ払出された景品玉を貯留する打球供給皿と、を備えたものにおいて、前記機構板の筒状の景品玉払出径路の終端部、又は該景品玉払出径路と連通して前記打球供給皿に景品玉を誘導する筒状の連通部の始端部の少なくともいずれか一方の上部に延設部を形成し、該延設部が前記景品玉払出径路内、又は前記連通部内に挿入されて重合されることにより、前記景品玉払出径路の終端部と前記連通部の始端部との間を前記延設部で隠したことを特徴とするものである。」と訂正する。
訂正事項２
　平成１年１０月１６日の本件請求人提出に係る明細書第４頁第３行〜同頁第１４行に係る記載
「［作用］
　機構板を取り付けたときに、景品玉払出径路の終端部、又は景品玉払出径路と連通して打球供給皿に景品玉を誘導する連通部の始端部の少なくともいずれか一方に形成された延設部が景品玉払出径路内、又は連通部内に挿入されて重合するので、機構板が連通部から挿入された部材によって押圧されて移動しても、機構板と連通部との間の隙間が延設部によって隠されるので、ピアノ線等の不正部材を挿入することができない。このため、不正部材による遊技盤裏面からの不正行為を確実に防止することができる。」を、
「［作用］
　機構板を取り付けたときに、筒状の景品玉払出径路の終端部、又は景品玉払出径路と連通して打球供給皿に景品玉を誘導する筒状の連通部の始端部の少なくともいずれか一方の上部に形成された延設部が景品玉払出径路内、又は連通部内に挿入されて重合するので、機構板が連通部から挿入された部材によって押圧されて移動しても、機構板と連通部との間の隙間が延設部によって隠されるので、ピアノ線等の不正部材を挿入することができない。このため、不正部材による遊技盤裏面からの不正行為を確実に防止することができる。」と訂正する。
訂正事項３
　平成１年１０月１６日の本件請求人提出に係る明細書第６３頁第１行〜同頁第１４行に係る記載
「［発明の効果］
　以上、説明したところがら明らかなように、この発明に係る弾球遊技機は、機構板を取り付けたときに、景品玉払出径路の終端部、又は景品玉払出径路と連通して打球供給皿に景品玉を誘導する連通部の始端部の少なくともいずれか一方に形成された延設部が景品玉払出径路内、又は連通部内に挿入されて重合するので、機構板が連通部から挿入された部材によって押圧されて移動しても、機構板と連通部との間に生ずる隙間が延設部によって隠されるため、ピアノ線等の不正部材を挿入することができない。このため、不正部材による遊技盤裏面からの不正行為を確実に防止することができる。」を、
「［発明の効果］
　以上、説明したところがら明らかなように、この発明に係る弾球遊技機は、機構板を取り付けたときに、筒状の景品玉払出径路の終端部、又は景品，玉払出径路と連通して打球供給皿に景品玉を誘導する筒状の連通部の始端部の少なくともいずれか一方の上部に形成された延設部が景品玉払出径路内、又は連通部内に挿入されて重合するので、機構板が連通部から挿入された部材によりて押圧されて移動しても、機構板と連通部との間に生ずる隙間が延設部によって隠されるため、ピアノ線等の不正部材を挿入することができない。このため、不正部材による遊技盤裏面からの不正行為を確実に防止することができる。」と訂正する。
（５４）【発明の名称】
弾球遊技機
（５７）【特許請求の範囲】
　弾球遊技機の裏面に配置され、且つ所定の景品玉を払出す機構板と、該弾球遊技機の前面に設けられ、且つ払出された景品玉を貯留する打球供給皿と、を備えた弾球遊技機において、
　前記機構板の
筒状の
筒状の
の上部
　該延設部が前記景品玉払出径路内、又は前記連通部内に挿入されて重合されることにより、前記景品玉払出径路の終端部と前記連通部の始端部との間を前記延設部で隠したことを特徴とする弾球遊技機。
【発明の詳細な説明】
　　［産業上の利用分野］
　この発明は、弾球遊技機の裏面に配置され、且つ所定の景品玉を払出す機構板と、該弾球遊技機の前面に設けられ、且つ払出された景品玉を貯留する打球供給皿と、を備えた弾球遊技機に関するものである。
　　［従来の技術］
　従来、パチンコ玉を弾発して遊技する弾球遊技機においては、入賞玉あるいは得点に基づいて所定の景品玉を払出すように構成されるが、この景品玉を払出す機構が弾球遊技機の裏面に設けられる機構板に集約して設けられ、該機構板によって払出された景品玉が弾球遊技機の前面に設けられた打球供給皿に貯留されるようになっている。このため、景品玉を機構板から打球供給皿に払出すように連通させる必要があるが、従来においては、機構板を取り付けたときに、機構板に形成される景品玉払出径路の終端部と打球供給皿に接続される連通部の始端部とが単に当接するように接続されていた。
　　［発明が解決しようとする課題］
　このため、連通部から部材を侵入させて景品玉払出径路の後面壁を押圧して、景品玉払出径路の終端部と連通部の始端部との間に隙間を生ぜしめ、その隙間からピアノ線等の不正部材を侵入させて遊技盤の裏面に到達させ、遊技盤に設けられる入賞装置を不正に操作するという問題があった。
　この発明は、上記した問題点に鑑みなされたもので、その目的とするところは、機構板の景品玉払出径路と打球供給皿の連通部との接続箇所から不正部材を侵入させることができない弾球遊技機を提供することにある。
　　［課題を解決するための手段］
　上記した目的を達成するために、この発明に係る弾球遊技機は、
　弾球遊技機の裏面に配置され、且つ所定の景品玉を払出す機構板と、該弾球遊技機の前面に設けられ、且つ払出された景品玉を貯留する打球供給皿と、を備えたものにおいて、
　前記機構板の
筒状の
筒状の
の上部
　該延設部が前記景品玉払出径路内、又は前記連通部内に挿入されて重合されることにより、前記景品玉払出径路の終端部と前記連通部の始端部との間を前記延設部で隠したことを特徴とするものである。
　　［作用］
　機構板を取り付けたときに、
筒状の
筒状の
の上部
　　［実施例］
　以下、図面を参照して、この発明の実施例について説明する。
　　　　　　弾球遊技機全体の構成
　まず、第１２図ないし第１４図を参照して、この実施例が適用される弾球遊技機の一例としてのパチンコ遊技機について説明する。第１２図は、パチンコ遊技機の正面図であり、第１３図は、パチンコ遊技機の背面概略図であり、第１４図は、パチンコ遊技機の背面に設置される機構板に内蔵される景品玉払出装置と入賞玉処理装置との関係を示す背面図である。
　パチンコ遊技機の前面の構造
　まず、パチンコ遊技機１の前面の構造について主として第１２図を参照して説明すると、パチンコ遊技機１は、木製の箱枠として構成される外枠２（第１３図参照）の一側に額縁状の前面枠３が開閉自在に軸支され、その前面枠３には、扉保持枠４が周設され、該扉保持枠４には、ガラス板５ａ，５ｂ（第１図参照）を有するガラス扉枠５及び前面扉板６が一側を軸支されて開閉自在に取り付けられている。ガラス扉枠５の後方であって、前記前面枠３の裏面に一体的に成形される遊技盤収納枠部１４３（第１３図参照）には、遊技盤２０が遊技盤取付部材１８２ａ〜１８２ｃ（第１３図及び第５図参照）によって着脱自在に設けられている。また、前面扉板６の表面には、排出された景品玉を打球貯留部８に貯留し、かつ打玉の発射位置２０４（第８図参照）に一個宛供給する打球供給皿７が固定されている。打球供給皿７の上流側の内部空間には、遊技に関連する効果音を発生するスピーカー１０が内蔵されている。また、前面扉板６には、その前面であって打球供給皿７の上部に長手方向に延びる装飾部材９が固着されるとともに、その裏面には、打球供給皿７から誘導される打玉を発射位置２０４に供給する打球供給装置３４（図示しない）が固定されている。
　前記前面枠３の下方部には、打球発射機構の一部を構成する操作ハンドル１１や、前記打球供給皿７に貯留しきれなかった景品玉を貯留するための余剰玉受皿１２が設けられている。このうち、操作ハンドル１１は、前面枠３取着される装飾板１４ｂに固着され、余剰玉受皿１２は、装飾板１４ａと重複して前面枠３に取着される。なお、２つの装飾板１４ａ，１４ｂは、前面枠３に取着した際に一体となって取り付けられているように見える。なお、余剰玉受皿１２には、玉抜きレバー１３が設けられ、これを操作することにより余剰玉受皿１２に貯留された景品玉を底面から抜きとることができるようになっている。また、装飾板１４ｂには、余剰玉出口１５が穿設され、余剰の景品玉がパチンコ遊技機１の裏面から流出してくるようになっている。
　また、前面枠３の上部には、枠ランプ装置１７が取着されており、その枠ランプ装置１７内に後述する大当り状態になると点灯、あるいは点滅する枠ランプ１８が内蔵されている。また、前面枠３の開放側側方には、鍵飾板１９が取着されており、その内部に打球が弾発されているときに点灯する稼動ランプ１８０（第５図参照）が内蔵されているとともに、後述する施錠装置１７８（第５図参照）を操作するシリンダー錠１７９が臨むようになっている。
　なお、上記した前面枠３は、従来においては、木製（ベニヤ合板）のものを使用していたが、図示の実施例においては、合成樹脂によって一体成形されて構成され、その裏面に遊技盤２０を取着する遊技盤収納枠部１４３も一体的に形成されている。実施例に係る前面枠３については、後に詳述する。
　上記した前面枠３の下方には、前面支持板１６が位置している。この前面支持板１６も合成樹脂によって成形されており、前記外枠２の左右両端に固着されている。この前面支持板１６についても後に詳述する。
　ところで、遊技盤収納枠部１４３に取着される前記遊技盤２０の表面には、後述する発射レール２０３から誘導された打玉を誘導するための誘導レール２１がほぼ円状に植立されている。そして、誘導レール２１によって囲まれた領域が遊技領域２２を構成するものである。遊技領域２２のほぼ中央には、複数の回転ドラム２４ａ〜２４ｃを有する可変表示装置２３が設けられ、該可変表示装置２３の下方に開閉板２６を有する可変入賞球装置２５が設けられている。この可変入賞球装置２５の開閉板２６は、前記可変表示装置２３の回転ドラム２４ａ〜２４ｃの組み合せが所定の表示状態（例えば、横方向、あるいは斜め方向に「７」の数字が整列した場合）となったときに、大当り状態となり、所定期間（例えば、２０秒経過するまで、あるいは１０個の入賞玉が発生するまで）開放するように設定されている。そして、開閉板２６内に設けられた特定入賞口２７に入賞すると、再度上記した開放状態を繰り返し、特定入賞口２７に入賞玉が発生する毎に最高１０回繰り返すことができるようになっている。
　また、可変入賞球装置２５の下部には、前記回転ドラム２４ａ〜２４ｃの回転を許容する始動入賞口２８ａ〜２８Ｃが設けられている。この始動入賞口２８ａ〜２８Ｃのうち可変入賞球装置２５の真下に設けられる始動入賞口２８ａに打玉が入賞すると、それによって払出される景品玉数は、他の入賞領域に打玉が入賞した際に払出される景品玉数よりも少なくなるように設定されている。
　更に、遊技領域２２には、前記可変入賞球装置２５の左右側方に入賞口３０ａ，３０ｂが設けられ、また、可変表示装置２３の左右側方にも入賞口２９ａ，２９ｂが設けられている。
　また、遊技領域２２には、前記した大当り状態になったときに点灯又は点滅して遊技者にその旨を報知する遊技効果ランプ３１ａ，３１ｂが設けられている。更に、遊技領域２２の最下方には、上記したいずれの入賞領域にも入賞しなかった打玉が遊技盤２０の後方に導かれるアウト口３２が設けられている。
　パチンコ遊技機の裏面の構造
　次に、第１３図を参照してパチンコ遊技機１の裏面の構造について説明する。
　まず、前記遊技盤２０の裏面には、各入賞領域に入賞した入賞玉を誘導する誘導通路が形成された入賞玉集合カバー体３３が取着されている。この入賞玉集合カバー体３３には、前記可変入賞球装置２５の開閉板２６の開閉動作を行う開閉ソレノイド３４が取り付けられている。また、可変入賞球装置２５の裏面には、前記特定入賞口２７に入賞した打玉を検出する特定入賞玉検出器３５と、開閉板２６に入賞した玉数を計数するための入賞玉検出器３６が設けられている。更に、前記始動入賞口２８ａ〜２８ｃには、始動入賞玉検出器３７ａ〜３７ｃが一体的に設けられている。
　前記入賞玉集合カバー体３３の裏面には、上記した開閉ソレノイド３４、検出器３５、３６、３７ａ〜３７ｃ等の配線を一旦中継する中継端子板３８が取り付けられている。そして、中継端子板３８の一方の配線は、後述する制御回路基板ボックス６７に収納される制御回路基板に接続される。また、入賞玉集合カバー体３３の中央には、前記可変表示装置２３の回転ドラム２４ａ〜２４ｃの駆動部である回転ドラム駆動機構３９が後方に突出している。
　機構板
　ところで、パチンコ遊技機１の裏面には、上記した遊技盤２０を被覆するように機構板４０が配置されているが、この機構板４０は、遊技盤２０に設けられた入賞口からの入賞玉を処理して、その入賞玉に対応する所定個数の景品玉を排出するための各種の機構が設けられるものである。しかして、機構板４０は、合成樹脂で成型されたほぼ方形状の機構板本体４１に各種の機構を組み付けたものからなり、その機構板本体４１の一側上下に設けられる軸支部材４２ａ，４２ｂを前記遊技盤収納枠部１４３の上下に固着される軸受部材１７３ａ，１７３ｂに軸支して着脱開閉自在に設けられている。また、機構板本体４１の裏面には、機構板４０を閉じた状態で係止する機構板取付部材４３が複数（３個）設けられている。更に、機構板本体４１のほぼ中央には、窓開口４４が開設され、この窓開口４４の下方位置に第１の入賞玉集合樋４５ａと第２の入賞玉集合樋４５ｂが形成されている。第１の入賞玉集合樋４５ａは、前記した各種の入賞口のうち始動入賞口２８ａを除く入賞口に入賞した入賞玉が誘導されるもので、機構板本体４１の前面側に形成される。また、第２の入賞玉集合樋４５ｂは、始動入賞口２８ａだけに対応するもので、始動入賞口２８ａに入賞した入賞玉を誘導するものである。なお、第２の入賞玉集合樋４５ｂは、窓開口４４の下縁に沿って機構板本体４１の後面側に形成されるものである。
　第１の入賞玉集合樋４５ａ及び第２の入賞玉集合樋４５ｂに誘導された入賞玉は、後述する入賞玉処理装置５５に導かれるようになっている。
　機構板本体４１の後面側には、パチンコ遊技機設置台の図示しない補給機構から補給される景品玉を遊技者に払い出すための各種の機構が設けられている。以下、これらの機構について説明すると、機構板４０の上部には、景品玉タンク４６が取り付けられる。景品玉タンク４６の下方には、景品玉を整列させるための誘導樋４７が設けられている。この誘導樋４７は、景品玉が自然流下するように傾斜して取り付けられる。また、誘導樋４７の上流側の底面には、景品玉量感知板６８が揺動自在に軸支されている。景品玉量感知板６８上に景品玉が載置されて充満しているときは、景品玉量感知板６８の上端が押し下げられた状態となっており、一方、景品玉量感知板６８上に景品玉が欠乏して載置しなくなったときは、景品玉量感知板６８の上端が跳ね上がった状態となる。しかして、景品玉が不足して景品玉量感知板６８の上端が跳ね上がると、リンク機構７０ａ，７０ｂ及び連杆７１を介して、図示しない打球供給装置の動作を停止すべく後述する玉送り停止部材１９９を作動させて打球の供給が行われないようにしている。また、同時に誘導樋４７の下方であって、前記機構板本体４１に取り付けられた２つの玉切れ検出器６９ａ，６９ｂを作動させて、遊技盤２０に設けられる玉切れ報知ランプを点灯させて景品玉が欠乏している旨を遊技者に報知するとともに、図示しない集中管理コンピュータにその旨を表示するとともに、集中管理コンピュータから補給機構に補給指令が導出されて、所定個数の景品玉が景品玉タンク４６に補給されるようになっている。なお、上記した誘導樋４７は、景品玉が３列に整列されて流下するように構成され、そのうちの２列が多く払出される景品玉数に対応して使用され、残りの１列が少く払出される景品玉数に対応して使用される。
　誘導樋４７の下流側には、３列に形成された屈曲樋４８が接続されるように取り付けられている。この屈曲樋４８は、誘導樋４７を流下してきた景品玉の流下方向を１８０度転換させるとともに、連続して流下している景品玉の玉圧を弱めるためにある。屈曲樋４８の屈曲部には、玉抜き装置４９が設けられ、閉店後に玉抜き装置４９を操作することにより、景品玉タンク４６及び誘導樋４７に貯留されていた景品玉を玉抜き径路５０に排出してパチンコ遊技機１外へ誘導するようになっている。
　屈曲樋４８の下流側には、景品玉払出装置５１が接続されている。この景品玉払出装置５１は、所定個数づつの景品玉を受け入れ、入賞玉が発生したときに作動する入賞玉処理装置５５の動作に連動して、その受け入れた景品玉を払出すものである。したがって、景品玉払出装置５１と入賞玉処理装置５５とは、入賞玉払出手段を構成し、しかも、前記したように２種類、例えば、「１３」個の景品玉の払出を行うものと、「７」個の景品玉の払出を行うものと、それぞれ独立して設けられている。景品玉払出装置５１及び入賞玉処理装置５５については、後に詳述する。
　景品玉払出装置５１から払出された景品玉は、景品玉払出径路５２に排出される。景品玉払出径路５２の下端に終端開口５３が開設され、この終端開口５３が後述する連通部１４９を介して前記打球供給皿７に連通している。また、終端開口５３の一側には、余剰玉径路５６と連絡するための余剰玉誘導樋５４が設けられ、余剰の景品玉を余剰玉径路５６に誘導するようになっている。なお、余剰玉誘導樋５４の下方に入賞玉処理装置５５が位置している。前記余剰玉径路５６は、その下端が前面枠３の裏面に取付られる接続樋５９に接続され、余剰の景品玉を前記余剰玉受皿１２に誘導するようになっている。また、余剰玉径路５６の一側側壁には、充満感知板５７が上端を中心にして揺動自在に設けられている。しかして、充満感知板５７は、景品玉によって余剰玉径路５６内が満杯になったときに該景品玉に押圧されて揺動し、充満感知板５７に連結されたスライド線材５７ａが移動して、玉送り停止部材１９９を作動させて打球供給装置の動作を固定して打玉を打球発射位置に供給しないようにしている。なお、充満感知板５７の対向する位置に充満検知器５８が設けられ、充満感知板５７が揺動されたときに充満検出器５８が作動して、入賞玉処理装置５５の後述する駆動モータ１１５の回転を停止させるようになっている。上記した構成以外に機構板本体４１には、前記アウト口３２の後端に接続されるアウト玉誘導樋６０が設けられている。このアウト玉誘導樋６０は、一旦前記余剰玉径路５６の裏側に隠れるが、その出口であるアウト玉出口６１が前記玉抜き径路５０と合流するようになっている。このため、アウト口３２から排出された打玉は、アウト玉誘導樋６０から玉抜き径路５０を介してパチンコ遊技機１外に排出される。
　なお、以上説明した機構板４０には、含まれないが、前記操作ハンドル１１に対応するように前記前面枠３の裏面には、第１３図に示すように打球発射装置６２が取り付けられている。打球発射装置６２は、取付基板６３に集約して設けられ、駆動源としての打球モータ６４と、該打球モータ６４の回転により往復回動して打玉を弾発する打球杆６５と、該打球杆６５の往復回動に連動して上下動し、打球供給装置を動作させる玉送り摺動杆６６とから構成されている。
　以上でパチンコ遊技機１の全体の構成について説明したが、以下に機構板４０に内蔵される景品玉払出装置５１及び入賞玉処理装置５５と、前面枠３との詳細な構成について説明する。
　　　景品玉払出装置及び入賞玉処理装置
　まず、機構板４０に内蔵される景品玉払出装置５１と入賞玉処理装置５５の詳細な構造について第１４図を参照して説明する。
　まず、景品玉払出装置５１について説明すると、景品玉払出装置５１は、景品玉収納筒７２ａ〜７２ｃと、該景品玉収納筒７２ａ〜７２ｃの上下位置に配置される上部玉ストッパー７３ａ，７３ｂ及び下部玉ストッパー８４ａ，８４ｂと、該上部玉ストッパー７３ａ，７３ｂ及び下部玉ストッパー８４ａ，８４ｂを開閉駆動するように係合する上下摺動部材７７ａ，７７ｂと、該上下摺動部材７７ａ，７７ｂを上下動させる作動部材９１ａ，９１ｂとから成る。また、景品玉払出装置５１は、第１３図に示すようにその前面側に形成された取付板８９を機構板本体４１に軸支された固定部材９０に係止されることによって着脱自在に取り付けられている。
　上部玉ストッパー７３ａ，７３ｂには、前端にストッパー部７４ａ，７４ｂが、後端に当接部７５ａ，７５ｂがそれぞれ形成され、支軸７６を中心にして回動自在に軸支されてストッパー部７４ａ，７４ｂが常に自重により景品玉収納筒７２ａ〜７２ｃの入口を開閉するようになっている。
　一方、下部玉ストッパー８４ａ，８４ｂは、支軸ピン８７を中心にして揺動自在に軸支される。また、下部玉ストッパー８４ａ，８４ｂは、その上部に重錘の機能を兼用した当接ローラ８６ａ，８６ｂが設けられ、その下部に景品玉収納筒７２ａ〜７２ｃ内に出没するストッパー部８５ａ〜８５ｃが突設されている。このストッパー部８５ａ〜８５ｃは、景品玉収納筒７２ａ〜７２ｃの側壁に形成された切欠溝８８ａ〜８８ｃ（ただし、８８ａ，８８ｂは図示せず）に侵入して景品玉収納筒７２ａ〜７２ｃ内に出没できるようになっている。そして、下部玉ストッパー８４ａ，８４ｂは、自重により常にストッパー部８５ａ〜８５ｃが景品玉収納筒７２ａ〜７２ｃに侵入するようになっているとともに、ストッパー部８５ａ〜８５ｃを段差状に突設することにより、景品玉収納筒７２ａ〜７２ｃへの上下方向の侵入位置を異ならせるようにしている。しかして、３つのストッパー部のうち２つのストッパー部８５ａ，８５ｂは、一方の下部玉ストッパー８４ａに突設されるとともに、景品玉収納筒７２ａ，７２ｂの出口を開閉するように作用し、他の１つのストッパー部８５ｃは、他方の下部玉ストッパー８４ｂに突設されるとともに、景品玉収納筒７２ｃの出口を開閉するように作用する。なお、ストッパー部８５ａ〜８５ｃが突設される具体的な位置は、ストッパー部８５ａが景品玉収納筒７２ａ内に６個の景品玉が収納されるような位置であり、ストッパー部８５ｂが景品玉収納筒７２ｂ内に７個の景品玉が収納されるような位置であり、ストッパー部８５ｃが景品玉収納筒７２ｃ内に７個の景品玉が収納されるような位置である。また、下部玉ストッパー８４ａ，８４ｂは、前記支軸ピン８７から容易に取り外せる構造となっているため、下部玉ストッパー８４ａ，８４ｂを前記ストッパー部８５ａ〜８５ｃの突設される位置の異なる種類のものと交換することによって簡単に景品玉の払出数を変えることができる。
　次に、上部玉ストッパー７３ａ，７３ｂ及び下部玉ストッパー８４ａ，８４ｂの開閉を制御する上下摺動部材７７ａ，７７ｂの構成について説明すると、上下摺動部材７７ａ，７７ｂは、上方向に延びる制御突片７８ａ，７８ｂと、下部から横方向に突出する当接凸部８３ａ，８３ｂとが一体的に形成されたものである。制御突片７８ａ，７８ｂには、その先端に係合部７９ａ，７９ｂが形成され、その途中に前記上部玉ストッパー７３ａ，７３ｂの当接部７５ａ，７５ｂと係合する当接凹部８０ａ，８０ｂが形成されている。また、制御突片７８ａ，７８ｂの基部には、ウェイト８１ａ，８１ｂが固着され、上下摺動部材７７ａ，７７ｂを常に下方に付勢している。前記当接凸部８３ａ，８３ｂは、前記下部玉ストッパー８４ａ，８４ｂの当接ローラ８６ａ，８６ｂと係合するようになっている。すなわち、上下摺動部材７７ａ，７７ｂが下降位置にあるときは、下部玉ストッパー８４ａ，８４ｂの当接ローラ８６ａ，８６ｂと当接凸部８３ａ，８３ｂとが当接しているので、ストッパー部８５ａ〜８５ｃが景品玉収納筒７２ａ〜７２ｃ内に侵入した状態を保持する。このとき上部玉ストッパー７３ａ，７３ｂにおいては、上部玉ストッパー７３ａ，７３ｂの当接部７５ａ，７５ｂと制御突片７８ａ，７８ｂの当接凹部７０ａ，７０ｂの上端部とが当接して、上部玉ストッパー７３ａ，７３ｂのストッパー部７４ａ，７４ｂを景品玉収納筒７２ａ〜７２ｃの入口から後退した位置で保持している。したがって、景品玉は、前記屈曲樋４８から景品玉収納筒７２ａ〜７２ｃ内に流れ込み、下部玉ストッパー８４ａ，８４ｂのストッパー部８５ａ〜８５ｃで係止された第１の状態となっている。一方、上下摺動部材７７ａ，７７ｂが上昇した位置にあるときは、当接凸部８３ａ，８３ｂと当接ローラ８６ａ，８６ｂとが当接しなくなるので、下部玉ストッパー８４ａ，８４ｂは、回動可能なフリーな状態となる。下部玉ストッパー８４ａ，８４ｂがフリーな状態になると、景品玉収納筒７２ａ〜７２ｃ内に収納されていた景品玉の玉圧によりストッパー部８５ａ〜８５ｃが押圧されて回動し、景品玉収納筒７２ａ〜７２ｃ内に収納されていた景品玉が前記景品玉払出径路５２に払出される。このとき、上部玉ストッパー７３ａ，７３ｂは、制御突片７８ａ，７８ｂが上昇しているので、上部玉ストッパー７３ａ，７３ｂは、その自重によって景品玉収納筒７２ａ〜７２ｃの入口を閉成し、当接凹部８０ａ，８０ｂの下端部と上部玉ストッパー７３ａ，７３ｂの当接部７５ａ，７５ｂとが係合して上部玉ストッパー７３ａ，７３ｂのストッパー部７４ａ，７４ｂを景品玉収納筒７２ａ〜７２ｃの入口内に侵入させた位置で保持している。そのため、景品玉は、景品玉収納筒７２ａ〜７２ｃの入口の直前で停止された第２の状態となっている。
　このように、景品玉払出装置５１は、上部玉ストッパー７３ａ，７３ｂと下部玉ストッパー８４ａ，８４ｂとを交互に開閉させることにより、景品玉を景品玉収納筒７２ａ〜７２ｃ内へ供給する第１の状態と、景品玉を景品玉収納筒７２ａ〜７２ｃから排出する第２の状態とを繰り返すようになっている。
　ところで、前記上下摺動部材７７ａ，７７ｂを動作させるために上下摺動部材７７ａ，７７ｂには、制御突片７８ａ，７８ｂと当接凸部８３ａ，８３ｂとの間に嵌入凹部８２ａ，８２ｂが形成されている。この嵌入凹部８２ａ，８２ｂに作動部材９１ａ，９１ｂの先端部が係合するようになっている。作動部材９１ａ，９１ｂは、その後端部が機構板本体４１と支持板９３との間に差し渡された支軸９２に回動自在に軸支されている。支持板９３は、機構板本体４１に突設された取付ボス９４ａ，９４ｂに固定されている。また、作動部材９１ａ，９１ｂのほぼ中央には、連動杆９５ａ，９５ｂの上端が連結され、この連動杆９５ａ，９５ｂが後述する入賞玉によって作動される回動部材１０２ａ，１０２ｂによって上下方向に摺動されることに応じて作動部材９１ａ，９１ｂを回動させている。また、作動部材９１ａ，９１ｂの回動に応じて前記上下摺動部材７７ａ，７７ｂが上下方向に摺動する。
　次に、入賞玉処理装置５５について説明すると、入賞玉処理装置５５は、前記第１の入賞玉集合樋４５ａ及び第２の入賞玉集合樋４５ｂに対応するように前後方向に重複して設けられる。まず、前記第１の入賞玉集合樋４５ａと第２の入賞玉集合樋４５ｂに接続される入賞玉誘導通路９６ａ，９６ｂの末端には、入賞玉載置部９７ａ，９７ｂが形成されている。この入賞玉載置部９７ａ，９７ｂの左右には、開口が形成され、一方の開口には、ストッパー部材９８ａ，９８ｂ及び回動部材１０２ａ，１０２ｂが臨み、他方の開口には、押出部材１０８ａ，１０８ｂが臨んでいる。ストッパー部材９８ａ，９８ｂは、支軸９９を中心にして回動自在となっている。また、その一端に押出部材１０８ａ，１０８ｂが入賞玉を入賞玉排出通路１１７ａ，１１７ｂに押出す場合にのみ回動部材１０２ａ，１０２ｂが回動するようにして、入賞玉が無い状態で回動部材１０２ａ，１０２ｂが不正に回動されることを防止するために回動部材１０２ａ，１０２ｂと係合する係合部１００ａ，１００ｂが形成され、その他端に前記入賞玉誘導通路９６ａ，９６ｂの末端に臨む当接部１０１ａ，１０１ｂが形成されている。回動部材１０２ａ，１０２ｂは、ほぼ「Ｔ」字状をしており、支軸１０３を中心にして回動自在となっている。また、支軸１０３の上部に前記係合部１００ａ，１００ｂと係合する係合凸部１０４ａ，１０４ｂが形成され、支軸１０３の下部に入賞玉と当接する入賞玉当接面部１０５ａ，１０５ｂが形成され、更に、支軸１０３の後部に前記連動杆９５ａ，９５ｂと連結される連結部１０７ａ，１０７ｂが形成されている。また、入賞玉当接面部１０５ａ，１０５ｂの後部に位置する押圧部１０６ａ，１０６ｂが後述する検出スイッチ１１８ａ，１１８ｂのアクチュエータ１１９ａ，１１９ｂと対設している。
　また、押出部材１０８ａ，１０８ｂは、逆さ「Ｌ」字状をなしており、その下端を支軸１０９で軸支されることによって所定角度範囲内で回動自在に設けられている。また、押出部材１０８ａ，１０８ｂの上部前端には、入賞玉を押出すための押圧面部１１１ａ，１１１ｂが形成され、上部後端には、回転ローラ１１０ａ，１１０ｂが設けられている。この回転ローラ１１０ａ，１１０ｂには、駆動モータ１１５のモータ軸１１６に固着された第１回転カム１１３、第２回転カム１１４が係合するようになっており、このため、駆動モータ１１５の回転により押出部材１０８ａ，１０８ｂが左右方向に回動するようになっている。なお、押出部材１０８ａ，１０８ｂの支軸１０９のやや上部には、復帰スプリング１１２ａ，１１２ｂが係止されて、常に押出部材１０８ａ，１０８ｂが入賞玉載置部９７ａ，９７ｂと反対方向に付勢されるようになっている。
　また、前記第１回転カム１１３は、３枚の羽根を有するのに対し、第２回転カム１１４は、２枚の羽根を有している。このため、駆動モータ１１５が１回転する間に第１回転カム１１３によって、これに対応する押出部材１０８ａが３回往復動作されるのに対し、第２回転カム１１４によって、これに対応する押出部材１０８ｂが２回往復動作される。そして、押出部材１０８ａ，１０８ｂが後述するように発生した入賞玉を１個づつ処理する部材であることに鑑みれば、押出部材１０８ａ，１０８ｂで処理される単位時間当りの入賞玉数は、一方の押出部材１０８ａによって処理される入賞玉数の方が他方の押出部材１０８ｂによって処理される入賞玉数よりも多いことになる。このことは、押出部材１０８ａに対応して動作する前記上部玉ストッパー７３ａ及び下部玉ストッパー８４ａの単位時間当りの駆動回数が押出部材１０８ｂに対応して動作する前記上部玉ストッパー７３ｂ及び下部玉ストッパー８４ｂの単位時間当りの駆動回数よりも多いということを示している。
　前記入賞玉載置部９７ａ，９７ｂの一側には、前記押出部材１０８ａ，１０８ｂで押出された入賞玉が排出される入賞玉排出通路１１７ａ，１１７ｂが形成される。この入賞玉排出通路１１７ａ，１１７ｂの側壁の外側には、検出スイッチ１１８ａ，１１８ｂが配置され、該検出スイッチ１１８ａ，１１８ｂのアクチュエータ１１９ａ，１１９ｂが前記回動部材１０２ａ，１０２ｂの動作を検出して前記遊技盤２０の前面に設けられる景品玉払出報知ランプを点灯させるようになっている。また、入賞玉排出通路１１７ａ，１１７ｂの末端には、入賞玉検出器１２０ａ，１２０ｂが取り付け可能とされている。この入賞玉検出器１２０ａ，１２０ｂは、遊技場に設置された集中管理コンピュータに信号を送るものであり、当該パチンコ遊技機１の営業用データを作成するために設けられるものである。入賞玉検出器１２０ａ，１２０ｂを通過した入賞玉は、入賞玉払出口１２１から前記玉抜き径路５０に導かれ、パチンコ遊技機１の外に排出される。
　以上のように構成された景品玉払出装置５１及び入賞玉処理装置５５の動作について第１４図を参照して説明する。なお、第１４図は、手前側、すなわち、７個の景品玉が払出される機構を主として示したものである（破線が１３個用）。ところで、上記した２つの機構は、同じ動作をするので、手前側の７個の景品玉が払出される機構についてだけ説明する。そこで、まず、景品玉払出装置５１の作動前の状態は、上部玉ストッパー７３ｂが開放されて景品玉が景品玉収納筒７２ｃに所定個数（７個）収納され、下部玉ストッパー８４ｂのストッパー部８５ｃが景品玉収納筒７２ｃ内に侵入した状態が保持されている。このような状態において、第２の入賞玉集合樋４５ｂを流下して入賞玉誘導通路９６ｂに誘導された入賞玉は、ストッパー部材９８ｂを図示の反時計方向に回動させながら入賞玉載置部９７ｂに載置される。すると、常時回転している回転カム１１４が押出部材１０８ｂの回転ローラ１１０ｂと当接して押出部材１０８ｂを前方に押出すように回動させる。押出部材１０８ｂが回動するにつれて入賞玉載置部９７ｂ上の入賞玉は、その押出方向に移動するが、この際、入賞玉は、押出部材１０８ｂの押圧面部１１１ｂと回動部材１０２ｂの入賞玉当接面部１０５ｂとに挟持されて移動する。また、このとき、ストッパー部材９８ｂの係合部１００ｂと回動部材１０２ｂの係合凸部１０４ｂとの係合が外されているので、回動部材１０２ｂは、図示の反時計方向に回動ずる。回動部材１０２ｂが回動ずることによって、係合凸部１０４ｂの前端部がストッパー部材９８ｂを時計方向に回動させて当接部１０１ｂが入賞玉誘導通路９６ｂの末端を塞ぐように侵入して次の入賞玉を入賞玉載置部９７ｂに載置しないようにしている。また、それと同時に、連動杆９５ｂが上昇して作動部材９１ｂを上方向に回動させる。すると、上下摺動部材７７ｂが上昇するので、上部玉ストッパー７３ｂの当接部７５ｂが制御突片７８ｂの当接凹部８０ｂの下部に当接して上部玉ストッパー７３ｂのストッパー部７４ｂが景品玉収納筒７２ｃの入口に侵入して景品玉が景品玉収納筒７２ｃ内に流れ込まないように係止する。また、上下摺動部材７７ｂの当接凸部８３ｂと下部玉ストッパー８４ｂの当接ローラ８６ｂとの係合が外れるので、下部玉ストッパー８４ｂがフリー状態となり、そのため景品玉収納筒７２ｃ内の景品玉の玉圧によりストッパー部８５ｃが押圧回動されて景品玉収納筒７２ｃ内に収納されていた所定個数の景品玉が景品玉払出径路５２に排出される。
　以上のようにして所定個数の景品玉が払出されると、回動部材１０２ｂと押出部材１０８ｂとで挟持されていた入賞玉は、押出部材１０８ｂが更に回動することにより入賞玉載置部９７ｂから外れて入賞玉排出通路１１７ｂに落下する。すると、回動部材１０２ｂは、時計方向に回動して元の状態に戻るので、それに従動して連動杆９５ｂ、上下摺動部材７７ｂが下降して、再度下部玉ストッパー８４ｂを固定し、上部玉ストッパー７３ｂを開放して景品玉を景品玉収納筒７２ｃ内に導き入れる。また、このとき、ストッパー部材９８ｂも回動部材１０２ｂの回動により元の状態に復帰するので、入賞玉誘導通路９６ｂの末端で待機していた次の入賞玉の流下が許されて入賞玉載置部９７ｂに移動して上述の動作を繰り返して景品玉の払出動作が行われる。
　　　　　　　　前面枠の構造
　次に上記した機構板４０を含むパチンコ遊技機１の主要な部品を集約して取り付ける前面枠３の詳細な構成について第３図ないし第８図を参照して説明する。
　前面枠単体の構成
　前面枠３は、前記したように合成樹脂で一体成形したものであるため、まず、各種の部品を装着する前の前面枠３単体の構成について主として第３図及び第４図を参照して説明する。
　前面枠３は、額縁状に成形される前面枠部１２２と、該前面枠部１２２の裏面に突出して形成され、且つ前記遊技盤２０を取着する遊技盤収納枠部１４３とが合成樹脂によって一体的に成形されている。そこで、前面枠部１２２について説明すると、第３図において、前面枠部１２２の長方形状の開口周縁に沿って扉保持枠収容段部１２３が形成されている。この扉保持枠収容段部１２３は、前記扉保持枠４を収納すべく段差状に形成されるものであり、扉保持枠４に形成される断面「コ」字状の侵入防止空間２２２（第６図参照）が扉保持枠収容段部１２３に収容されるようになっている。また、前面枠部１２２の一側（第３図左側）上下には、軸受部材取付段部１２４ａ，１２４ｂが形成され、該軸受部材取付段部１２４ａ，１２４ｂに外枠に固着される軸支部材１７１ａ，１７１ｂ（第２図参照；ただし１７１ａは、図示省略）に支持される軸受部材１７０ａ，１７０ｂが取り付けられるようになっている。
　前面枠部１２２の下方一側には、打球発射装置用開口部１２５が開設されている。この打球発射装置用開口部１２５は、その前面に前記操作ハンドル１１を固着している装飾板１４ｂが配置され、その裏面に前記打球発射装置６２が配置され、打球発射装置用開口部１２５によって形成される空間内で操作ハンドル１１と打球発射装置６２との結合が行われる。また、打球発射装置用開口部１２５の周囲には、取付ボルト挿通穴１２６、位置決め穴１２７、取付穴１２８、及びハンドル配線挿通穴１２９がそれぞれ設けられている。取付ボルト挿通穴１２６は、装飾板１４ｂの裏面に突設される図示しない締結ネジを貫通するもので、締結ネジを取付ボルト貫通穴１２６に貫通した後前記打球発射装置６２の取付基板６３と一体的に螺着部材（ナット）で締結して操作ハンドル１１及び打球発射装置６２を前面枠部１２２の前後に取り付けるものである。位置決め穴１２７は、装飾板１４ｂの正確な位置を決めるために設けられるもので、装飾板１４ｂの裏面に突設される位置決め突起（図示しない）が挿入できるようになっている。取付穴１２８は、装飾板１４ｂの上部を一義的に止着するためのものである。ハンドル配線挿通穴１２９は、操作ハンドル１１内に設けられる触手板又はメインスイッチからの配線を前面枠部１２２の後面に導くために設けられるものである。
　更に、前面枠部１２２の下方ほぼ中央には、余剰玉開口１３０が開設されている。この余剰玉開口１３０は、前記余剰玉出口１５に対応するように設けられ、余剰の景品玉を余剰玉受皿１２に排出するためのものである。そして、余剰玉開口１３０の前端面は、僅かに凹状に形成された収容凹部１３１として構成され、景品玉が多量に貯留されるようになっている。なお、装飾板１４ａに形成される余剰玉出口１５も凹状に形成されて景品玉の収容量が増すように構成されている。また、余剰玉開口１３０の近傍及び前記打球発射装置用開口部１２５と反対側部分には、取付ボルト挿通穴１３２、位置決め穴１３３、及び取付穴１３４が形成されている。取付ボルト挿通穴１３２は、前記打球供給皿７の裏面に突出する図示しない締結ネジを貫通するもので、この締結ネジは、装飾板１４ａをも貫通して打球供給皿７と装飾板１４ａとを積層的に前面枠部１２２に取着できるようにしている。また、位置決め穴１３３は、装飾板１４ａの正確な位置を決めるために設けられるもので、装飾板１４ａの裏面に突設される位置決め突起（図示しない）が挿入できるようになっている。取付穴１３４は、装飾板１４ａの上部左右を一義的に止着するためのものである。
　前面枠部１２２の上部には、位置決め穴１３５、取付穴１３６、及び配線挿通穴１３７が形成されている。位置決め穴１３５は、前記枠ランプ装置１７の裏面に突設される位置決めボス１７５が挿入されるもので、枠ランプ装置１７の正確な取付位置を保証している。また、取付穴１３６は、枠ランプ装置１７を止着するために設けられるものであり、配線挿通穴１３７は、枠ランプ装置１７内に内蔵される枠ランプ１８から延びる配線を前面枠部１２２の裏面に導くために設けられるものである。
　また、前面枠部１２２の開放側側方には、位置決め穴１３８、取付穴１３９、ランプ挿通穴１４０、及びシリンダー錠挿通穴１４１が形成されている。位置決め穴１３８は、前記鍵飾板１９の正確な位置を決めるために設けられるもので、鍵飾板１９の裏面に突設される位置決め突起（図示しない）が挿入できるようになっている。取付穴１３９は、鍵飾板１９の上下及び中央を止着するためのものである。ランプ挿通穴１４０は、前記打球発射装置６２が駆動されていることを報知する稼動ランプ１８０が挿入されるために設けられるものであり、ランプの取付位置やランプの数等が変更可能とするために複数箇所に設けられている。シリンダー錠挿通穴１４１は、前記シリンダー錠１７９が挿入されて前面に臨むために設けられるものである。
　更に、前面枠部１２２の側方の開口縁に沿う位置であって前記扉保持枠収容段部１２３に一部がかかるように複数（３つ）の取付ボルト貫通穴１４２が形成されている。この取付ボルト貫通穴１４２には、遊技盤２０を固定するための前記遊技盤取付部材１８２ａ〜１８２ｃを軸支するための取付ボルト１８９ａ〜１８９ｃが貫通支持されるものである。
　なお、上記した取付穴１２８、１３４、１３６、１３９は、単にビスを取り付けるための穴が穿設されているのではなく、図示しないが裏面にビスの螺着力を強めるために取付用ボスが突設されている。また、図示していないが、扉保持枠収容段部１２３の周辺には、扉保持枠４を取り付けるための取付穴が複数設けられている。
　一方、前面枠部１２２の裏面の構造は、第４図に示すように縦横に補強リブが差し渡された剛性構造となっており、前面枠部１２２の開口縁に沿うように遊技盤収納枠部１４３が突設されている。この遊技盤収納枠部１４３は、遊技盤２０を収納する遊技盤収納凹部１４４と、該遊技盤収納凹部１４４の下方に位置する支持板部１４８とから構成される。そして、遊技盤収納凹部１４４に遊技盤２０が収納された状態で、遊技盤２０の表面と前記ガラス扉枠５のガラス板５ｂとの間に遊技空間が形成されるようになっており、また、遊技盤２０の表面と支持板部１４８の表面とがほぼ同一平面となるようになっている。
　ところで、遊技盤収納凹部１４４は、収納される遊技盤２０の周囲を規制するように遊技盤２０を嵌込むように凹状に形成されるが、多少のガタ付きがあるので、より正確な位置決めを行うために遊技盤収納凹部１４４の底面である遊技盤２０と対向する面の上下２箇所に位置決めピン１４５、１４６が突設されている。また、前面枠３の開放側の側方中央部分に扉保持枠４に付設されるガラス扉枠操作レバーを貫通させるガラス扉枠操作レバー貫通穴１４７が穿設されている。なお、遊技盤収納凹部１４４は、遊技盤２０の周囲を囲むように凹状に形成されるが、位置決めピン１４５、１４６が設けてあれば周囲を囲むことなく平面状に形成されていてもよい。
　前記支持板部１４８は、その上面に遊技盤２０が載置されるものであるが、その一側上部に連通部１４９が突設されている。この連通部１４９は、この実施例の要部を構成するものであり、長方形状の筒状に形成されるものである。また、連通部１４９の前端縁に沿って立壁１５０が上方に向って突設され、遊技盤２０との境目を隠すようになっている。更に、連通部１４９の前方には、第３図に示すように前方に向って突出するように前面補強リブ１５１が周設され、その前面補強リブ１５１の上部から遊技盤収納枠部１４３の前面に渡って「Ｌ」字状の侵入防止突片１５２が突設されている。この侵入防止突片１５２は、前記ガラス扉枠４と前面扉板６との軸支部分から挿入されるピアノ線等の不正部材が遊技盤２０の表面に到達しないようにするために設けられるものである。一方、連通部１４９の始端部である後方であって、その上縁に沿って延設部１５３が突設されている。この延設部１５３は、機構板４０を閉じたときに前記景品玉払出径路５２の内部に侵入するようになっており、このため、景品玉払出径路５２の終端部と連通部１４９との境目が隠されて不正部材の侵入を阻止するようになっている。なお、延設部１５３の一側には、機構板４０の開閉をスムーズに行わせるため逃げ傾斜面１５４が形成されている。
　また、連通部１４９と反対側の支持板部１４８の前端には、立壁１５５が立設され、この部分においても遊技盤２０と支持板部１４８との境目を隠すようになっている。また、立壁１５５の前面上部にも侵入防止突片１５６が前方に向って突設されている。この侵入防止突片１５６は、前面扉板６の施錠側から挿入される不正部材の侵入を阻止するようになっている。なお、前記位置決めピン１４６は、立壁１５５の裏面上部に突設されている。
　また、支持板部１４８の中央下部には、戻り玉開口１５７が開設され、後述するファール玉やこぼれ玉を裏面に導くようになっている。更に、支持板部１４８の軸支側には、スピーカ配線挿通穴１５８が開設され、開放側には、作動ピン挿通穴１５９が開設されている。スピーカ配線挿通穴１５８は、前記スピーカ１０から延びる配線を裏面に導くためのものであり、作動ピン挿通穴１５９は、前記リンク機構７０ｂに含まれる作動ピン（図示しない）が挿通されるものである。更に、支持板部１４８の中央上部には、凹部１６０が形成されている。この凹部１６０は、前後方向に貫通するものではなく、後方にだけ開放している。そして、遊技盤２０を着脱する際に、遊技盤２０の下辺を掴み易くしている。また、凹部１６０には、遊技盤２０の下辺を支持固定する下部遊技盤取付部材１９６（第５図参照）を取り付ける取付部１６１と該下部遊技盤取付部材１９６の回動範囲を規制するストッパー１６２とが設けられている。なお、支持板部１４８の裏面には、カバー１６３が被覆されるようになっている。
　上記した遊技盤収納枠部１４３は、前面枠部１２２の裏面に対して突出されているので、遊技盤収納枠部１４３の下辺から前面枠部１２２の裏面に対して所定の間隔を置いて傾斜補強リブ１６６ａ〜１６６ｃが突設されている。この傾斜補強リブ１６６は、第１図に示すように遊技盤収納枠部１４３の支持板部１４８の下辺から前面枠部１２２下方部中程まで傾斜するように突設されている。
　その他、前面枠３単体の裏面構造として、前記打球発射装置用開口部１２５の外周形状に沿って補強リブ１６４が突設され、この補強リブ１６４から連続するように縦横にリブが突設されて、打球発射装置６２及び操作ハンドル１１の取り付ける部位の強度を増加させている。なお、打球発射装置用開口１２５の前端上部には、下方向に延びる延在部１６５が突設され、前面枠部１２２の裏面側での有効面積を拡大している。また、打球発射装置用開口１２５の上部であって遊技盤収納枠部１４３の底面には、打球杆挿通穴１６７が切り欠けられている。この打球杆挿通穴１６７は、打球発射装置６２の打球杆６５の先端を支持板部１４８の前面に突出させるために設けられるものである。
　部品装着時の前面枠の構造
　以上、前面枠３単体の構造について説明したが、上記のように構成される前面枠３に必要な部品を装着したときの構造について主として第５図ないし第８図を参照して説明する。
　まず、前記軸受部材取付段部１２４ａ，１２４ｂには、軸受部材１７０ａ，１７０ｂがビスで固着される。この軸受部材１７０ａ，１７０ｂは、外枠２に固着された軸支部材１７１ａ，１７１ｂに係脱自在に係合させられると共に、回動自在に軸支されるものである。なお、前面枠３が外枠２に対して開閉自在に設けられるため、前面枠３の前面枠部１２２の軸支側後端縁には、第２図に示すように面取り角度「ｆ」となる傾斜面取部１７２が形成されている。また、軸受部材１７０ａ，１７０ｂを車由支部材１７１ａ，１７１ｂに支持した状態において微小間隔「ｅ」が生じるようになっている。この面取り角度「ｆ」と微小間隔「ｅ］とにより、前面枠３の開閉動作がスムーズに行われると共に、前面枠３の大幅な開放角度が保証されるものである。
　また、遊技盤収納枠部１４３の一側上下に軸受部材１７３ａ，１７３ｂが固着される。この軸受部材１７３ａ，１７３ｂは、前記機構板４０に設けられる軸支部材４２ａ，４２ｂを支持して機構板４０を開閉自在にするものであり、前記軸受部材１７０ａ，１７０ｂと同一側部に固着されている。つまり、前面枠３の外枠２に対する軸支側と機構板４０の前面枠３に対する軸支側とが同一側部に位置するようになっている。具体的には、前面枠３は、左開きであり、機構板４０は、パチンコ遊技機１の裏面から見て右開きとなる。これにより機構板４０に故障が生じて前面枠３及び機構板４０を開放した状態での故障の修理が行い易くなっている。
　また、遊技盤収納枠部１４３の機構板４０の軸支側と反対側の上下及び中間には、機構板４０を閉止したときに前記機構板取付部材４３と係合して機構板４０を係止固定する係止部材１７４が設けられている。この係止部材１７４のうち下方に位置する係止部材１７４は、支持板部１４８のカバー１６３上に設けられている。
　前記打球杆発射装置用開口部１２５には、その前面から操作ハンドル１１が固定された装飾板１４ｂが、その後面から打球発射装置６２が一体的に取り付けられる。また、余剰玉開口１３０には、その前面から余剰玉受皿１２及び装飾板１４ａが、その後面から接続樋５９がそれぞれ取り付けられる。
　次に前記枠ランプ装置１７が取り付けられた状態を第５図及び第６図を参照して説明する。第６図は、第５図Ｄ−Ｄ線に沿った断面図である。図において、枠ランプ装置１７の裏面に突設された位置決めボス１７５が前面枠部１２２に穿設された位置決め穴１３５に挿入され、その後、取付穴１３６にビスで螺着される。なお、枠ランプ装置１７の下方後面には、切欠部１７６が形成されて扉保持枠４の一部が収納されるようになっている。また、遊技盤収納凹部１４４の底面に突設された位置決めピン１４５が遊技盤２０の上部中央に穿設された位置決め穴１７７に挿入されて遊技盤２０の正確な位置決めが行われている。この際、位置決めピン１４５の先端部が先細りのテーパー部１４５ａとなっているので、遊技盤２０の位置決め穴１７７の挿入が行い易くなっている。
　一方、前記鍵飾板１９に対応する後面には、第５図に示すように施錠装置１７８が固着されている。この施錠装置１７８の中央には、前記シリンダー錠１７９の後端に固着された作動カム１７９ａが設けられ、その作動カム１７９ａの正逆回転により、前面枠用摺動杆又はガラス扉枠用摺動杆を上下動して、前面枠３又はガラス扉枠５を開閉制御する。また、施錠装置１７８の上部には、稼動ランプ１８０が固定され、その稼動ランプ１８０が前記ランプ挿通穴１４０に挿入されている。また、前記ガラス扉枠操作レバー貫通穴１４７には、扉保持枠４を扉保持枠収容段部１２３に取り付けた際に、ガラス扉枠操作レバー１８１が貫通するようになっている。このガラス扉枠操作レバー１８１は、前記ガラス扉枠用摺動杆が押し下げられたときにこれと係合して押し上げられてガラス扉枠５を開放するようになっている。もちろん、前面枠３を開放した後に手動的にガラス扉枠操作レバー１８１を押し下げてもガラス扉枠５を開放することはできる。
　前記取付ボルト挿通穴１４２には、遊技盤２０を遊技盤収納枠部１４３に着脱自在に取り付ける遊技盤取付部材１８２ａ，１８２ｃが取り付けられる。この遊技盤取付部材１８２ａ〜１８２ｃの取付状態について第５図及び該第５図Ｃ−Ｃ線での断面図である第７Ａ図、同一箇所の横断面図である第７Ｂ図を参照して説明する。なお、第７Ａ図及び第７Ｂ図には、１つの遊技盤取付部材１８２ｃだけについて示したので、以下の説明の中で遊技盤取付部材１８２ａ，１８２ｂに関係する符合の部品は、図示されていない。しかして、遊技盤取付部材１８２ａ〜１８２ｃは、遊技盤２０の裏面を押圧する押圧面部１８３ａ〜１８３ｃと該押圧面部から直角方向に延びるレバー部１８４ａ〜１８４ｃとからなり、その交点に回動筒部１８７ａ〜１８７ｃが固着されている。そして、この回動筒部１８７ａ〜１８７ｃにワッシャ１９０ａ〜１９０ｃ、１９１ａ〜１９１ｃを介して前記取付ボルト挿通穴１４２に挿通される取付ボルト１８９ａ〜１８９ｃが貫通され、取付ボルト１８９ａ〜１８９ｃの先端に形成されるネジ部１９３ａ〜１９３ｃにスプリング１９３ａ〜１９２ｃを介してナット１９４ａ〜１９４ｃ、１９５ａ〜１９５ｃが螺着されることにより、遊技盤取付部材１８２ａ〜１８２ｃが取付ボルト１８９ａ〜１８９ｃに回動自在に支持される。
　なお、取付ボルト１８９ａ〜１８９ｃを取付ボルト挿通穴１４２に挿通する際には、取付ボルト挿通穴１４２に連続して支持筒１８８ａ〜１８８ｃが形成されているので、取付ボルト１８９ａ〜１８９ｃが安定的に各強固に取り付けられるようになっている。また、遊技盤取付部材１８２ａ〜１８２ｃは、スプリング１９２ａ〜１９２ｃによって常に遊技盤収納枠部１４３側に押圧されているので、遊技盤２０の裏面への押圧面部１８３ａ〜１８３ｃの押圧力が強められている。ところで、遊技盤収納枠部１４３には、遊技盤取付部材１８２ａ〜１８２ｃの回動範囲を規制する突起が一体的に突設されている。具体的には、その上部に遊技盤２０を取り外す際の回動範囲を規制する開放位置規制突片１８５ａ〜１８５ｃが、その下部に遊技盤２０を固定する際の回動範囲を規制する固定位置規制突片１８６ａ〜１８６ｃがそれぞれ突設されている。これにより遊技盤取付部材１８２ａ〜１８２ｃを回動し過ぎることによる遊技盤２０の着脱作業又は固定力の維持等を適正に行うことができる。なお、図示の実施例では、遊技盤取付部材１８２ａ〜１８２ｃのうち、第５図に示すように開放側下方に位置する遊技盤取付部材１８２ｂの押圧面部１８３ｂが長く且つ先端が段差状に形成されている。これは、押圧面部１８３ｂの基部で遊技盤２０の裏面を押圧し、押圧面部１８３ｂの先端部で機構板４０の裏面を押圧するように構成されるためである。もちろん、他の遊技盤取付部材１８２ａ，１８２ｃもこのような構造にしてもよい。また、第７Ｂ図で示すように取付ボルト挿通穴１４２は、その前面に扉保持枠４が取り付けられ遊技機前面から隠されるようにされている。
　ところで、この実施例では、遊技盤２０を固定する部材として、上記遊技盤取付部材１８２ａ〜１８２ｃだけでなく、前記凹部１６０にも下部遊技盤取付部材１９６が設けられている。この下部遊技盤取付部材１９６は、第５図に示すように前記取付部１６１にビスで螺着されるものであり、遊技盤２０の下部裏面を固定するようになっている。なお、下部遊技盤取付部材１９６もストッパー１６２によってその回動範囲を規制されるようになっている。
　前面枠３の裏面に取り付けられる部材としては、上記した部材の他に、第５図に示されるように前記玉抜き装置４９を操作するための玉抜き装置操作レバー１９７と、前記支持枠部１４８に開設された作動ピン挿通穴１５９内に設けられる作動線材１９８と、該作動線材１９８と係合する玉送り停止部材１９９と、前記接続樋５９と軸受部材１７０ｂとを結ぶ導電部材２００とがある。玉抜き装置操作レバー１９７は、周知のように前面枠３の前方から操作ピンを挿入することにより回動して玉抜き装置４９を作動させるものである。作動線材１９８は、前記リンク機構７０ｂに突設された作動ピン（図示しない）と係合するものであり、その下方が支持板部１４８とカバー１６３とによって構成される中空部内を垂下して前記打球杆挿通穴１６７に臨んでいる。玉送り停止部材１９９は、図示しない打球供給装置の玉送り部材の動作を停止するもので、正確には、後述する発射レール装置２０１の取付基板２０２に回動自在に取り付けられている。導電部材２００は、接続樋５９と前面枠３とに挟持され、余剰玉受皿１２に貯留された景品玉に帯電された静電気を導電部材２００、軸受部材１７０ｂ、軸支部材１７１ｂを介して外枠２にアースするようになっている。
　次に、遊技盤収納枠部１４３の支持板部１４８の表面側に取り付けられる部品について第８図を参照して説明する。支持板部１４８の中程から一側に向って発射レール装置２０１が取り付けられている。この発射レール装置２０１は、帯状の発射レール２０３が取付基板２０２に取り付けられ、その取付基板２０２が支持板部１４８の表面にビス２０６で螺着されている。なお、第４図においては、ビス２０６を止着する取付穴については、図示しなかったが、実際には、ビス２０６に対応する位置に取付穴が形成され、その取付穴の後方に取付ボスが形成されている。発射レール２０３の基端部は、直角に曲折されて発射位置２０４が構成され、その発射位置２０４に開設された穴に打球杆６５の槌先部が臨むようになっている。また、発射レール２０３の先端部は、下方に向って湾曲状に折り曲げられてファール玉誘導部２０５が構成されている。なお、取付基板２０２の基端部下方には、位置決め穴２０７が形成され、その位置決め穴２０７に支持板部２０８の表面に突設された位置決め突起２０８が挿入されるようになっている。これにより、発射レール装置２０１の位置決めと取付作業性とが容易となっている。なお、取付基板２０２に位置決め突起を突設し、支持板部１４８に位置決め穴を穿設してもよい。
　ところで、発射レール２０３の先端には、誘導レール２１との間に所定間隔を置いてファール口２１１が形成されている。このファール口２１１の上部には、戻り玉が確実にファール口２１１に落下するようにファール玉落下部材２１０が取り付けられている。また、誘導レール２１の前端にも発射された打球又は戻り玉がガラス板５ｂに衝突しないように誘導カバー２０９が取り付けられている。なお、発射レール２０２の先端と誘導レール２１の流下端との間には、間隔Ｄ１が形成され、発射レール２０２によって発射された打球が確実に誘導レール２１に移動できるようにしている。
　ファール口２１１から落下したファール玉は、前記ファール玉誘導部２０５に誘導されて導入部材２１２の一側端に形成されるファール玉入口２１４に導かれる。ここで、導入部材２１２の構成について説明すると、導入部材２１２は、前記連通部１４９から戻り玉開口１５７に達する傾斜底面２１３を有する樋状に形成され、その前面周縁に外側に突設された取付片部２１５を支持板部１４８の表面に当接させてビスで螺着固定している。この固定する際に、取付片部２１５に穿設された位置決め穴２１６に支持板部１４８に突設した位置決め突起２１７を嵌合させて行う。しかして、導入部材２１２には、前面扉板６を開放したときに連通部１４９から落下する景品玉を受け止めて傾斜底面２１３にて誘導し、戻り玉開口１５７から接続樋５９に誘導すると共に、ファール口２１１から落下したファール玉を戻り開口１５７から接続樋５９に誘導するものであるが、傾斜底面２１３の終端とファール玉入口２１４下端との間に間隔Ｄ２が生じるようになっている。これは、傾斜底面２１３を流下してくる景品玉が多量にあり、且つファール玉が繁雑に生じたときに戻り玉開口部１５７で玉詰まりが生じないようにするためである。なお、導入部材２１２の流下端であって、戻り玉開口１５７の前方にも開口が開設されており、この開口を介して打球供給皿７に貯留されていた景品玉を余剰玉受皿１２に移動させることができるようになっている。
　以上、必要な部品を取り付けた前面枠３の構成について説明してきたが、このように構成された前面枠３を外枠２に取り付けた状態で、前面枠３は、前記したように前面支持板１６に載置されるようになる。この前面支持板１６は、前面枠３と同様に本実施例では、合成樹脂によって構成される。そこで、前面支持板１６の構成について簡単に説明すると、前面支持板１６は、第１図に示すように断面ほぼ「コ」字状に形成され、その両端に形成された取付板部２１８を外枠２の内側側壁にビスで螺着することにより固定されている。また、取付板部２１８の上辺後端には、規制突起２１９が上向きに突設され、前面枠３を閉止したときに前面枠３の後端と当接するようになっている。また、前面枠３の開閉をスムーズに行わせるために、前面支持板１６の上辺表面に膨出状のガイド部材２２０が形成されると共に、前面枠３の下端も後方に向って昇り傾斜した傾斜面部２２１を構成している。なお、ガイド部材２２０は、前面支持板１６の上辺表面のすべてに形成しても良いし、あるいは所定間隔を置いて複数箇所に形成しても良い。また、前面支持板１６の下辺内側面は、後方に向って傾斜する傾斜面１６ａとなっているが、これは、パチンコ玉が乗った場合に後方に向って流れるようにするためである。
　　　　　　　　　　機構板と打球供給皿との関係
　以上、実施例に係るパチンコ遊技機の全体の構成及び各部品の詳細な構成について説明したが、この実施例の要部を構成する機構板４０と打球供給皿７との関係について第１図及び第２図を参照して説明する。なお、第１図は、第５図Ａ−Ａ線に沿った断面図であり、第２図は、第５図Ｂ−Ｂ線に沿った断面図である。まず、第１図において、前面枠３の前面枠部１２２に形成される扉保持枠収容段部１２３に取着された扉保持枠４は、周知のように、扉保持枠収容段部１２３内で断面ほぼ「コ」字状の侵入防止空間２２２を有する構造となっている。そして、この侵入防止空間２２２にガラス扉枠５及び前面扉板６の周囲に後方に向って突設された侵入突片が侵入して扉保持枠４とガラス扉枠５又は前面扉板６との重合箇所からの不正部材の侵入を防止している。同様な構造は、前面扉板６の上辺にも形成され、前面扉板６とガラス扉枠５との重合箇所からの不正部材の侵入を防止している。
　ところで、打球供給皿７には、前記した機構板４０から景品玉が払出されるため、その上流側に払出開口７ａが開設されるが、その払出開口７ａの後方には、筒状の連結部材２２３が取り付けられている。この連結部材２２３は、前面扉板６を閉成したときに、その後端が前記連通部１４９の前面補強リブ１５１に当接して連通部１４９と接続されるようになっている。特に連結部材２２３の後端上部は、補強リブ１５１の下部に位置するようになっている。また、連結部材２２３の内部には、その上面から玉くずし部２２４が垂下されて連結部材２２３内での玉づまりの発生を防止している。
　上記したように、扉保持枠４とガラス扉枠５又は前面扉板６との間、及びガラス扉枠５と前面扉板６との間におけるピアノ線等の不正部材の侵入は、防止されているが、払出開口７ａからの不正部材の侵入に対しては、構造上防止できない。そして、この場合、払出開口７ａから棒状の部材を差込んで景品玉払出径路５２の後面壁を押圧し、これによって機構板４０と遊技盤２０裏面との間に隙間を生じさせ、そのような状態で連通部１４９の後端と景品玉払出径路５２の終端との間から不正部材を挿入して遊技盤２０の裏面に不正部材を簡単に到達させることができる。しかし、この実施例においては、連通部１４９の始端部である後端上面に延設部１５３が形成されて景品玉払出径路５２内に侵入しているため、例え機構板４０を後方に移動させても、機構板４０と遊技盤２０の裏面との間に生ずる隙間が延設部１５３によって隠されるため、不正部材を侵入させることができず、これにより遊技盤２０の裏面から入賞装置等に対して不正な行為を行うことができない。なお、第２図に示すように機構板４０の支持点４２ｂから見て、景品玉払出径路５２の外側内壁前端までの距離ｒｄ」と延設部１５３の後端遠地部までの距離「ｃ」が「ｄ」＞「ｃ」の関係であり、景品玉払出径路５２の内側内壁前端までの距離「ａ」と延設部１５３の後端近地部までの距離「ｂ」が「ｂ」＞「ａ」の関係である。そして、特に「ｂ」＞「ａ」の関係を維持しながらも、できるだけ隙間を生じさせないために逃げ傾斜面１５４が形成されているものである。
　なお、以上、説明した実施例では、延設部１５３が連通部１４９の後端上部にだけ形成されたものを示したが、第９図及び第１０図に示すように連通部１４９ａをそのまま延長して筒状の延設部１５３ａを形成して、その延設部１５３ａを景品玉払出径路５２内に侵入させて重合させるようにしてもよいし、あるいは、第１１図に示すように景品玉払出径路５２の終端を延設して延設部１５３ｂを形成し、その延設部１５３ｂを連通部１４９に侵入させて重合させるようにしてもよい。また、連通部１４９及び景品玉払出径路５２の両方から延設させて、それらを重合させてもよい。また、延設部１５３が必ずしも内側の位置で重合する必要はなく、外側の位置で重合するようにしてもよい。
　また、上記した実施例では、前面枠３を合成樹脂製で前面枠部１２２と遊技盤収納枠部１４３とを一体的に形成したものを示したが、前面枠部１２２と遊技盤収納枠部１４３とを別体に構成したものでも良く、あるいは従来と同様に前面枠３を木製のものとし、遊技盤収納枠を合成樹脂で構成したものでも良い。また、機構板４０は、開閉自在なものでなく、着脱自在なだけであってもよい。また、弾球遊技機として、アレンジ式パチンコ遊技機に本構成を用いたものであってもよい。
　　［発明の効果］
　以上、説明したところがら明らかなように、この発明に係る弾球遊技機は、機構板を取り付けたときに、
筒状の
筒状の
の上部
【図面の簡単な説明】
　第１図は、機構板と打球供給皿との関係を示すもので第５図Ａ−Ａ線に沿った断面図、第２図は、第５図Ｂ−Ｂ線に沿った断面図、第３図は、前面枠単体の正面図、第４図は、前面枠単体の背面図、第５図は、必要な部品を装着した状態での前面枠の背面図、第６図は、第５図Ｄ−Ｄ線に沿った断面図、第７Ａ図は、第５図Ｃ−Ｃ線に沿った断面図、第７Ｂ図は、同一箇所の横断面図、第８図は、必要な部品を装着した状態での前面枠下部の正面図、第９図及び第１０図は、機構板と打球供給皿との他の関係を示す断面図、第１１図は、機構板と打球供給皿との更に他の関係を示す断面図、第１２図、弾球遊技機の一例としてのパチンコ遊技機の正面図、第１３図は、パチンコ遊技機の背面概略図、第１４図は、機構板に内蔵される景品玉払出装置と入賞玉処理装置との関係を示す背面図である。
　１・・パチンコ遊技機（弾球遊技機）
　７・・打球供給皿
　４０・・機構板
　５２・・景品玉払出径路
　１４９・・連通部
　１５３、１５３ａ、１５３ｂ・・延設部